(57)【要約】      （修正有）【課題】工事現場の作業者が、安全に早く作業をするための仮設治具である。通常、作業者は作業能率が悪く不安全な高所作業をしいられていることが多いので、従来の高所作業を軽減出来る仮設治具を提供する。【解決手段】仮設治具を、外枠と内枠の二重構造としたもので、内枠をスライド式として治具の中央にてボルトで固定する方式である。安全対策としては、外枠の端部に仮設金物を落としこみボルトで固定する。【選択図】図３
2006299784.tif 000002
【特許請求の範囲】
【請求項１】
仮設治具
｛１｝枠を外枠と内枠の二重構造とし｛２｝内枠をスライド式で治具の中央でボルトで固定する
【請求項２】
治具の端部に二重の安全対策として足場板固定仮設金物を落としこみボルトで固定する
【発明の詳細な説明】
【発明の詳細な説明】
【０００１】［発明の属する技術分野］
本発明は足元の不安全な高所作業をしいられる作業者の負担を軽減し作業の安全能率向上を目的に発明したもので有るこの発明は高所作業用通路及び吊り足場の設置作業に関する物で有る
【０００２】［従来の技術］
９割り方足元の不安全な高所作業をしている為能率があがらない又高所作業車を使ての作業も経費が掛かりすぎる
【０００３】［発明が解決しようとする課題］
高所作業用通路及び吊り足場設置方法について高所作業を従来の４割り以下に軽減し高所作業車の経費節約が目的である本発明はこれらの問題点を解決する為になされた物で有る
【０００４】［課題を解決する為の手段］
仮設治具の部品は鋼材を主としその他の金属製品を加工した物で外枠と内枠の二重構造で有る組立方法は「Ａー１］［Ａー２］［Ａー３］［Ａー４］の外枠と［Ａー５］［Ａー６］［Ａー７］［Ａー８］［Ａー９］［Ａー１０］の内枠を組み合わせた物で内枠をスライド式で治具の中央でボルトで固定するもので有る又外枠の端部は足場板を固定する金物を落としこみボルトで固定すると二重の安全装置となる
【０００５】［発明の実施の形態］
以下本発明の実施の形態を説明する
｛１｝部品は鋼材を加工した物で有る
｛２｝この仮設治具の構造は外枠と内枠の二重構造で鉄骨の梁Ｈ型鋼のフランジ面に治具を固定するその方法は外枠の中央の［Ａー２］にスライド式の内枠をボルトで固定する
｛３｝外枠の端部は足場板を固定する金物を落としこみボルトで固定すると二重の安全装置となる
本発明は以上の構成からなるので本発明を使用するときは建方前に地上にて仮設治具を柱の仕口及び梁の端部７５０よりに治具を取り付けるなを大梁に小梁の取合かしょうが有る場合センターより７５０よりに治具を取り付けるまた中間の間隔は１８００間隔を基準とする
高所作業用通路設置用仮設治具は地上にて梁の端部８００よりに治具を固定する中間の間隔は１８００間隔を基準とする
【０００６】［発明の効果］
本発明の仮設治具を使用する事により作業者の安全及び能率向上となり作業通路及び吊り足場設置は従来の５割り短縮可能鉄骨工事２割り工程短縮可能工事全体で１割り短縮可能で有る経済効果有り
2006299784.tif 000003
2006299784.tif 000004
2006299784.tif 000005
2006299784.tif 000006
2006299784.tif 000007
2006299784.tif 000008
【手続補正書】
【提出日】平成17年6月27日(2005.6.27)
【手続補正１】
【補正対象書類名】特許請求の範囲
【補正対象項目名】請求項１
【補正方法】変更
【補正の内容】
【請求項１】
仮設治具｛１｝枠を外枠と内枠の二重構造とし｛２｝内枠をスライド式で治具の中央でボルトで固定し治具の端部に二重の安全対策として足場板固定仮設金物を落としこみボルトで固定する
【手続補正２】
【補正対象書類名】特許請求の範囲
【補正対象項目名】請求項２
【補正方法】変更
【補正の内容】
【請求項２】
仮設治具｛１｝枠を外枠と内枠の二重構造とし｛２｝内枠を回転式で外枠と内枠をボルトで固定し端部に足場板固定仮設金物を落としコミボルトで固定する
【手続補正書】
【提出日】平成17年7月7日(2005.7.7)
【手続補正１】
【補正対象書類名】明細書
【補正対象項目名】全文
【補正方法】変更
【補正の内容】
【発明の詳細な説明】
【技術分野】
【０００１】本発明は足元の不安全な高所作業をしいられる作業者の負担を軽減し作業の安全及び能率向上を目的に発明したもので有るこの発明は高所作業用通路及び吊り足場の設置作業に関する物で有る
【背景技術】
【０００２】９割り方足元の不安全な高所作業をしている為能率があがらない又高所作業車を使ての作業も経費が掛かりすぎる
【発明の開示】
【発明が解決しょうとする課題】
【０００３】高所作業用通路及び吊り足場設置方法について高所作業を従来の４割り以下に軽減し作業者の安全及び経費節約が目的である本発明はこれらの問題点を解決する為になされた物で有る
【問題を解決するための手段】
【０００４】仮設治具の部品は鋼材を主としその他の金属製品を加工した物で外枠と内枠の二重構造で有る組立方法は［Ａー１］［Ａー２］［Ａー３］［Ａー４］の外枠と［Ａー５］［Ａー６］［Ａー７］［Ａー８］［Ａー９］［Ａー１０］［Ａー１１［Ａー１２］の内枠を組み合わせた物で内枠をスライド式で治具の中央でボルトで固定するもので有る又外枠の端部は足場板を固定する金具を落としこみボルトで固定すると二重の安全装置となる
【発明の効果】
【０００５】本発明の仮設治具を使用する事により作業者の安全及び能率向上となり作業通路及び吊り足場設置は従来の５割り短縮可能鉄骨工事２割り工程短縮可能工事全体で１割り短縮可能で有る経済効果有り
【発明を実施するための最良の形態】
【０００６】以下本発明の実施の形態を説明する
｛１｝部品は鋼材を加工した物で有る
｛２｝この仮設治具の構造は外枠と内枠の二重構造で鉄骨の梁Ｈ型鋼のフランジ面に治具を固定するその方法は外枠［Ａー１］の中央にスライド式の内枠［Ａー６］にボルトで固定する方法と外枠［Ｂー１］に回転式の内枠［Ｂー６］にボルトで固定するワンタッチ治具で有る
又外枠の端部は足場板を固定する金具を落としこみボルトで固定すると二重の安全装置となり安全で使いやすい便利な治具で有る本発明は以上の構成からなるので本発明の治具を使用するときは建方前に地上にて柱の仕口及び梁の端部７５０よりに治具を取り付ける又治具の間隔は１８００を基準とする
高所作業用通路設置用治具も地上にて梁に取り付ける間隔は１８００を基準とする
【図面の簡単な説明】
【０００７】
【図１】正面図
【図２】側面図
【図３】平面図
【図４】底面図
【図５】正面図
【図６】底面図
【図７】正面図
【図８】平面図
【図９】正面図
【図１０】平面図
【図１１】正面図
【図１２】平面図
【図１３】正面図
【図１４】平面図
【符号の説明】
【０００８】｛Ａー１｝足場板固定金具及び外枠内枠固定部品
｛Ａー２｝外枠破壊防止部品
｛Ａー３｝足場板固定金具落下防止部品
｛Ａー４｝外枠と内枠を連結する部品
｛Ａー５｝内枠補強部品
｛Ａー６｝内枠外枠固定部品
｛Ａー７｝治具固定調整装置部品
｛Ａー８｝調整装置補強部品
｛Ａー９｝梁サイズ調整装置部品
｛Ａー１０｝内枠補強部品
｛Ａー１１｝治具を扱い安くする部品
｛Ａー１２｝内枠補強部品
｛Ｂー１｝足場板固定金具及び外枠内枠固定部品
｛Ｂー２｝外枠破壊防止部品
｛Ｂー３｝足場板固定金具落下防止部品
｛Ｂー４｝外枠と内枠を連結する部品
｛Ｂー５｝外枠補強部品
｛Ｂー６｝内枠外枠固定部品
｛Ｂー７｝治具固定調整装置部品
｛Ｂー８｝内枠補強部品
｛Ｂー９｝梁サイズ調整装置部品
｛Ｂー１０｝梁サイズ調整装置補強部品
【手続補正２】
【補正対象書類名】図面
【補正対象項目名】全図
【補正方法】変更
【補正の内容】
【図１】
2006299784.tif 000009
【図２】
2006299784.tif 000010
【図３】
2006299784.tif 000011
【図４】
2006299784.tif 000012
【図５】
2006299784.tif 000013
【図６】
2006299784.tif 000014
【図７】
2006299784.tif 000015
【図８】
2006299784.tif 000016
【図９】
2006299784.tif 000017
【図１０】
2006299784.tif 000018
【図１１】
2006299784.tif 000019
【図１２】
2006299784.tif 000020
【図１３】
2006299784.tif 000021
【図１４】
2006299784.tif 000022
【手続補正書】
【提出日】平成17年10月27日(2005.10.27)
【手続補正１】
【補正対象書類名】明細書
【補正対象項目名】０００７
【補正方法】変更
【補正の内容】
【０００７】
【図１】正面図
【図２】側面図
【図３】平面図
【図４】正面図
【図５】側面図
【図６】平面図
【図７】正面図
【図８】側面図
【図９】平面図
【図１０】正面図
【図１１】側面図
【図１２】平面図
【図１３】正面図
【図１４】正面図
【図１５】平面図
【図１６】正面図
【図１７】側面図
【図１８】正面図
【図１９】平面図
【図２０】側面図
【図２１】側面図
【図２２】正面図
【図２３】平面図
【図２４】平面図
【図２５】正面図
【図２６】側面図
【図２７】側面図
【図２８】平面図
【図２９】正面図
【図３０】正面図
【図３１】平面図
【図３２】正面図
【図３３】側面図
【図３４】平面図
【図３５】下面図
【図３６】正面図
【図３７】側面図
【図３８】平面図
【図３９】下面図
【図４０】正面図
【図４１】平面図
【図４２】側面図
【手続補正２】
【補正対象書類名】明細書
【補正対象項目名】０００８
【補正方法】変更
【補正の内容】
【０００８】｛Ａー１｝足場板固定金具及び内枠固定部品
｛Ａー２｝外枠補強部品
｛Ａー３｝足場板固定金具落下防止部品
｛Ａー４｝外枠内枠連結部品
｛Ａー５｝内枠補強部品
｛Ａー６｝内枠外枠固定部品
｛Ａー７｝治具固定調整装置部品
｛Ａー８｝調整装置補強部品
｛Ａー９｝梁サイズ調整装置部品
｛Ａー１０｝内枠補強部品
｛Ａー１１｝治具を扱い安くする部品
｛Ａー１２｝内枠補強部品
｛Ｂー１｝足場板固定金具及び内枠固定部品
｛Ｂー２｝外枠補強部品
｛Ｂー３｝足場板固定金具落下防止部品
｛Ｂー４｝外枠内枠連結部品
｛Ｂー５｝外枠補強部品
｛Ｂー６｝内枠外枠固定部品
｛Ｂー７｝治具固定調整装置部品
｛Ｂー８｝内枠補強部品
｛Ｂー９｝梁サイズ調整装置部品
｛Ｂー１０｝梁サイズ調整装置補強部品
｛Ｃー１｝補強部品
｛Ｃー２｝足場板固定金具固定部品
｛Ｃー３｝治具固定金物固定部品
｛Ｃー４｝治具補強部品
｛Ｃー５｝治具固定部品
｛Ｃー６｝治具固定金物補強部品
｛Ｃー７｝台座部品
｛Ｃー８｝治具連結部品
｛Ｄー１｝内枠固定部品
｛Ｄー２｝外枠固定部品
［Ｄー３］外枠固定部品
［Ｄー４］内枠ストッパ金物固定部品
［Ｄー５］内枠ストッパ部品
［Ｄー６］治具固定金物固定部品
［Ｄー７］内枠固定部品
［Ｄー８］外枠を受ける部品
［Ｄー９］治具固定補強部品
［Ｄー１０］治具固定部品
［Ｅー１］内枠固定部品
［Ｅー２］内枠振り止め部品
［Ｅー３］振り止め金物固定部品
［Ｅー４］内枠固定部品
［Ｅー５］内枠補強部品
［Ｅー６］治具固定金物固定部品
［Ｅー７］治具固定部品
［Ｅー８］治具固定部品
［Ｅー９］内枠補強及び振り止め部品
［Ｅー１０］内枠補強部品
［Ｆー１］外枠連結部品
［Ｆー２］内枠補強部品
［Ｆー３］外枠部品
［Ｆー４］外枠補強部品
［Ｆー５］外枠補強部品
［Ｆー６］治具固定部品
［Ｆー７］治具固定補強部品
［Ｆー８］外枠補強部品
［Ｆー９］外枠補強部品
［Ｆー１０］外枠内枠連結部品
［Ｆー１１］梁フランジ厚さ調整部品
［Ｇー１］治具主材部品
［Ｇー２］治具主材補強部品
［Ｇー３］治具固定金物連結部品
［Ｇー４］治具主材補強部品
［Ｇー５］治具固定部品
［Ｇー６］治具固定部品
［Ｇー７］治具固定金物補強部品
［Ｇー７Ａ］治具固定金物補強部品
［Ｇー８］治具固定金物補強部品
［Ｇー９］治具固定部品
［Ｇー１０］治具固定金物連結部品
［Ｇー１１］梁フランジ厚さ調整部品
［Ｇー１２］足場板固定部品
［Ｇー１３］足場板落下防止部品
［Ｈー１］治具回転装置部品
［Ｈー２］部材連結部品
［Ｈー３］足場板固定用鋼管固定部品
［Ｈー４］部材補強部品
［Ｈー５］部材補強部品
［Ｈー６］部材回転部品
［Ｈー７］回転金具補強部品
［Ｈー８］回転金具補強部品
［Ｈー９］部材補強部品
［Ｈー１０］足場板固定用鋼管固定部品
［Ｈー１１］足場板落下防止部品
［Ｈー１２］足場板固定部品
［Ｈー１３］治具固定部品
【手続補正３】
【補正対象書類名】図面
【補正対象項目名】全文
【補正方法】追加
【補正の内容】
【書類名】図面
【図１】
2006299784.tif 000023
【図２】
2006299784.tif 000024
【図３】
2006299784.tif 000025
【図４】
2006299784.tif 000026
【図５】
2006299784.tif 000027
【図６】
2006299784.tif 000028
【図７】
2006299784.tif 000029
【図８】
2006299784.tif 000030
【図９】
2006299784.tif 000031
【図１０】
2006299784.tif 000032
【図１１】
2006299784.tif 000033
【図１２】
2006299784.tif 000034
【図１３】
2006299784.tif 000035
【図１４】
2006299784.tif 000036
【図１５】
2006299784.tif 000037
【図１６】
2006299784.tif 000038
【図１７】
2006299784.tif 000039
【図１８】
2006299784.tif 000040
【図１９】
2006299784.tif 000041
【図２０】
2006299784.tif 000042
【図２１】
2006299784.tif 000043
【図２２】
2006299784.tif 000044
【図２３】
2006299784.tif 000045
【図２４】
2006299784.tif 000046
【図２５】
2006299784.tif 000047
【図２６】
2006299784.tif 000048
【図２７】
2006299784.tif 000049
【図２８】
2006299784.tif 000050
【図２９】
2006299784.tif 000051
【図３０】
2006299784.tif 000052
【図３１】
2006299784.tif 000053
【図３２】
2006299784.tif 000054
【図３３】
2006299784.tif 000055
【図３４】
2006299784.tif 000056
【図３５】
2006299784.tif 000057
【図３６】
2006299784.tif 000058
【図３７】
2006299784.tif 000059
【図３８】
2006299784.tif 000060
【図３９】
2006299784.tif 000061
【図４０】
2006299784.tif 000062
【図４１】
2006299784.tif 000063
【図４２】
2006299784.tif 000064